(57)【要約】      （修正有）【課題】支柱の設置角度を調整しやすく、また支柱を取付けやすい支柱固定装置及びこれを用いたフェンスを提供する。【解決手段】設置面に対して、所定の方向に支柱１０を設置するための支柱固定装置２０であって、起立する前後一対の起立壁２２を有し設置面に配置されるベース部２１と、起立壁２２の間に配置されて支柱１０の下端部１１が固定される支柱固定部材２３と、支柱固定部材２３の外周部に取付けられた前後一対の円盤部２８と、一方の起立壁２２から一方の円盤部２８、支柱１０の下端部１１、他方の円盤部２８を経て他方の起立壁２２を貫通するボルト５１と、ボルト５１に螺着されるナットとを備え、起立壁２２の内側壁は、ボルト５１を軸とした円盤部２８の回動を誘導し、かつ、円盤部２８の上方向及び幅方向への移動を阻止する誘導部を有するように構成する。【選択図】図４
2018204424.tif 000002
【特許請求の範囲】
【請求項１】
設置面に対して、所定の方向に支柱を設置するための支柱固定装置であって、
起立する前後一対の起立壁を有し前記設置面に配置されるベース部と、
前記起立壁の間に配置されて支柱の下端部が固定される支柱固定部材と、
前記支柱固定部材の外周部に取付けられた前後一対の円盤部と、
一方の起立壁から一方の円盤部、支柱の下端部、他方の円盤部を経て他方の起立壁に貫通するボルトと、前記ボルトに螺着されるナットとを備え、
前記起立壁の内側壁は、前記ボルトを軸とした前記円盤部の回動を誘導し、かつ、前記円盤部の上方向及び幅方向への移動を阻止する誘導部を有していることを特徴とする支柱固定装置。
【請求項２】
前記誘導部は、前記起立壁の上部両側端部が内側下方に傾斜し、その内壁面に該起立壁の左右方向中央側に向いた傾斜面を有していることを特徴とする請求項１に記載の支柱固定装置。
【請求項３】
請求項１又は２に記載の支柱固定装置を介して傾斜した設置面に設置された支柱と、前記支柱とは異なる位置に設置された支柱との間にパネル体が取付けられていることを特徴とするフェンス。
【発明の詳細な説明】
【技術分野】
【０００１】
本発明は、住宅、工場、公園等の敷地境界部や立体駐車場等の既設の設備に取付けられるフェンス等に関し、特にこれらに用いられる支柱を固定するための支柱固定装置及びこれを用いたフェンスに関するものである。
【背景技術】
【０００２】
住宅、工場、公園等の敷地境界部や隣地境界部に沿って取付けられるフェンスにおいて、その支柱を設置する場合は、コンクリート基礎を用いて埋設する方法や、打ち込み装置等を用いて支柱を土面に直接打設する方法や、コンクリート面等の上に支柱ホルダーを設置し、その上に支柱を立設させる方法等が用いられている。
【０００３】
一方、立体駐車場や、既設のフェンスや柵等を取り除き、コンクリートやブロックの土台に再びフェンスを設置する場合は、土台の孔部を利用したり、支柱を固定するための部材を土台に固定したりして、支柱を固定する場合がある。
【０００４】
例えば、先行文献１には、基板上起立対向一対の対向側壁と該一対の対向側壁間側部開口を八字状に閉塞する一対のカバー壁とによって区画形成した上方口狭にして下方拡開の支柱挿入空間を具備した支柱ホルダーと、該支柱ホルダーの上記一対の対向側壁及び支柱挿入空間内支柱下端間に配設した支柱傾斜角度調整自在の支柱固定手段とを備えた支柱立設装置が開示されている。
【０００５】
また、先行文献２には、先端部で手摺りを支持する支柱が基礎物品を介して手摺り設置物に固定されているとともに、基礎物品は、手摺り設置物に取付けられた第１基礎部材と、前記支柱の基端部が結合された第２基礎部材とを有し、この第２基礎部材は第１基礎部材に対して回動自在でかつ第１基礎部材に任意な回動位置で締結自在な手摺りの支柱構造が開示されている。
【先行技術文献】
【特許文献】
【０００６】
【特許文献１】特開平６−２００６６２号公報
【特許文献２】特開平１０−２９９２１２号公報
【発明の概要】
【発明が解決しようとする課題】
【０００７】
しかしながら、前記支柱立設装置は、カバー壁によって支柱の傾斜角度が制限されてしまい汎用性の点で劣るものであった。また、前記手摺りの支柱構造は、第１基礎部材と第２基礎部材との締結手段が、支柱の長手方向と同方向に締結するため、締結時に他の部材との干渉が生じやすいものであった。
【０００８】
本発明は、前記の如き問題点を解消し、支柱の設置角度を調整しやすく、また支柱を取付けやすい支柱固定装置及びこれを用いたフェンスを提供せんとするものである。
【課題を解決するための手段】
【０００９】
上記目的を達成するために、本発明は次のような構成としている。
すなわちこの発明に係る支柱固定装置は、設置面に対して、所定の方向に支柱を設置するための支柱固定装置であって、一対の起立する起立壁を有し前記設置面に配置されるベース部と、前記起立壁の間に配置されて支柱の下端部が固定される支柱固定部材と、前記支柱固定部材の外側壁から前記起立壁に向けて突出する一対の円盤部と、一方の起立壁から一方の円盤部、支柱の下端部、他方の円盤部を経て他方の起立壁に貫通するボルトと、前記ボルトに螺着されるナットとを備え、前記起立壁の内側壁は、前記ボルトを軸とした前記円盤部の回動を誘導し、かつ、前記円盤部の上方向及び幅方向への移動を阻止する誘導部を有していることを特徴とするものである。
【００１０】
本発明に係る支柱固定装置において、前記誘導部は、前記起立壁の上部両側端部が内側下方に傾斜し、その内壁面に該起立壁の左右方向中央側に向いた傾斜面を有しているものとしてもよい。
【００１１】
また本発明に係るフェンスは、前記支柱固定装置を介して傾斜した設置面に設置された支柱と、前記支柱とは異なる位置に設置された支柱との間にパネル体が取付けられていることを特徴とするものである。
【発明の効果】
【００１２】
本発明に係る支柱固定装置によれば、一方の起立壁から一方の円盤部、支柱の下端部、他方の円盤部を経て他方の起立壁に貫通するボルトと、前記ボルトに螺着されるナットとを備え、前記起立壁の内側壁は、前記ボルトを軸とした前記円盤部の回動を誘導し、かつ、前記円盤部の上方向及び幅方向への移動を阻止する誘導部を有しているので、起立壁の間に支柱固定部材を任意の角度でしっかり締結し、当該設置方向で支柱を固定することができる。
【００１３】
前記ガイド部は、前記誘導部は、前記起立壁の上部両側端部が内側下方に傾斜し、その内壁面に該起立壁の左右方向中央側に向いた傾斜面を有しているものとすれば、ガイド部の形成が容易である。
【００１４】
本発明に係るフェンスによれば、前記支柱固定装置を介して傾斜した設置面に設置された支柱と、前記支柱とは異なる位置に設置された支柱との間にパネル体が取付けられているので、比較的急勾配な設置面、又は勾配が変化する箇所においても、支柱を任意の角度で固定することができるので、フェンスの施工が容易となる。
【図面の簡単な説明】
【００１５】
【図１】本発明に係る支柱固定装置を用いたフェンスの実施の一形態を示す正面図である。
【図２】本発明に係る支柱固定装置を用いたフェンスの実施の他の形態を示す正面図。
【図３】図１のＡ−Ａ線の拡大断面図である。
【図４】図１の支柱固定装置付近の説明図である。
【図５】図１の支柱固定装置の設置方法の一例を示す説明図である。
【図６】図１の支柱固定装置の設置方法の一例を示す説明図である。
【図７】図１の支柱固定装置の設置方法の一例を示す説明図である。
【図８】図１の支柱固定装置の設置方法の一例を示す説明図である。
【図９】図１の支柱固定装置の設置方法の一例を示す説明図である。
【図１０】図１のフェンスのパネル体の設置方法の一例を示す説明図である。
【図１１】本発明に係る他の実施形態を示す斜視図である。
【図１２】図１１のＢ−Ｂ線の拡大断面図である。
【図１３】図１１のＢ−Ｂ線における一部省略端面図である。
【図１４】図１２のＣ矢視図において各貫通孔の位置関係を示す説明図である。
【発明を実施するための形態】
【００１６】
次に、本発明を実施するための最良の形態について図面を参照し、具体的に説明する。図１は本発明に係る支柱固定装置２０を用いたフェンスＦの実施の一形態を示す正面図、図２は本発明に係る支柱固定装置２０を用いたフェンスＦの別の実施の一形態を示す正面図である。図１，図２において、１０は支柱、２０は傾斜した設置面Ｓに支柱１０を所定の方向に配置するための支柱固定装置、３０は支柱１０間に取付けられたパネル体であって，フェンスＦを構成している。なお、図１は平坦な設置面Ｓに支柱固定装置２０を設置し支柱１０をほぼ垂直に固定したものであり、図２は傾斜した設置面Ｓに支柱固定装置２０を設置し支柱１０をほぼ垂直に固定したものである。つまり、支柱固定装置２０は、設置面Ｓの傾斜の程度によらず、支柱１０を所定の方向に固定できるものである。なお、特に説明しない場合は、図１，図２において、手前側を前、奥側を後、フェンスＦの設置方向である長手方向を左右方向としている。
【００１７】
支柱１０は、一般には強度的に安定しておりコストの安い角筒状の鋼管が用いられているが、丸筒状の鋼管でもよく、断面Ｈ字状やＴ字状の鋼材等からなる支柱でもよい。又ステンレス合金やアルミニウム合金等の他の金属から形成されたものでもよい。支柱１０は、角筒状の上端部を塞ぐキャップ１０ａを有している。
【００１８】
図３は図１のＡ−Ａ線の断面図、図４は図１の支柱固定装置２０付近の説明図である。支柱固定装置２０は、設置面Ｓの異なる位置に所定の方向に向けて支柱１０を配置するためのものであって、設置面Ｓ上に配置されるベース部２１と、ベース部２１から起立する一対の起立壁２２，２２と、起立壁２２の間に配置されて支柱１０の下端部１１が固定される支柱固定部材２３とを備えている。
【００１９】
ベース部２１は、本形態では、平面視矩形状で所定の厚さを有するものであって、四隅に上下方向に貫通した長孔状のアンカー孔２４を有しており、アンカー孔２４にアンカーボルト４０を挿入してベース部２１を設置面Ｓに固定されている。
【００２０】
起立壁２２は、ベース部２１の上面において前後方向の異なる位置に起立している。本形態では、細長の板状体の長手方向の両端部を同方向に折り曲げて折り曲げ先端側を起立壁２２とし、起立壁２２同士を連結する連結部２５の下部をベース部２１の上面に溶接等によって接合して、起立壁２２，２２をベース部２１に起立させている。前後の起立壁２２は、その中央部に前後方向に貫通する貫通孔２２ａを有しており、正面視において、前後の貫通孔２２ａの位置が重なっている。
【００２１】
支柱固定部材２３は、支柱１０の下端部１１を起立壁２２の間に固定するためのものであって、前後に対向する固定壁２６，２６と、互いに対向する側壁２７とを有し、固定壁２６の左右の側端部に側壁２７が一個ずつ配置された平面視コ字状に形成され、側壁２７を内側にして対向して配置し、その内側空間内に支柱１０の下端部１１が配置される。
【００２２】
支柱固定部材２３は、固定壁２６の外周部に取付けられた円盤部２８を有している。円盤部２８は、支柱固定部材２３を起立壁２２，２２の間に配置した際に、起立壁２２と対向する位置に取付けられている。すなわち、起立壁２２、円盤部２８、固定壁２６の順に配置される。円盤部２８は、本形態では、前後方向に厚みを有する縦断面円形状の円盤状であって、固定壁２６の外周面から前後に突出し、かつ、一部が固定壁２６の下面より下方に突出しており、更に、固定壁２６に形成された貫通孔２６ａを経て前後方向に貫通する貫通孔２８ａを有している。なお、円盤部２８は、本形態では、溶接等の接合手段によって固定壁２６に接合したものであるが、鋳造等によって固定壁２６と円盤部２８とを一体に形成してもよい。
【００２３】
次に、支柱１０を支柱固定装置２０に設置する際の設置方法の一例を図５〜図９を用いて詳しく説明する。まず、図５に示すように、設置面Ｓの所定の位置に雌めじ付きスリーブ４１を埋設する。続いて、図６に示すように、スリーブ４１の位置にアンカー孔２４の位置が合うようにベース部２１を配置して、ワッシャ４２、スプリングワッシャ４３を介して、アンカーボルト４０をアンカー孔２４からスリーブ４１に向けて螺入する。アンカーボルト４０をスリーブ４１に締結することによって設置面Ｓにベース部２１を固定する。
【００２４】
次に、図７，図８に示すように、ベース部２１に起立する起立壁２２，２２の間に支柱固定部材２３を配置し、支柱固定部材２３の円盤部２８を連結部２５上に載置する。続いて、内部空間Ｋ内に支柱１０の下端部１１を挿入する。
【００２５】
ここで、図３，図８，図９に示すように、支柱１０の下端部１１は、前後方向に貫通する貫通孔１１ａを有しており、一方の起立壁２２の貫通孔２２ａから、一方の支柱固定部材２３の円盤部２８の貫通孔２８ａ、固定壁２６の貫通孔２６ａ、及び貫通孔１１ａを経て、反対側の各貫通孔（図示せず）にボルト５１を貫通し、ボルト５１の貫通した先端側からナット５２を螺入する。
【００２６】
これにより、ボルト５１を軸として、支柱１０は、Ｒ１方向又はＲ２方向に回動可能となるため、ベース部２１が傾斜面に沿って固定されていても、支柱１０を上下方向に配置して固定することができる。実施形態においては、支柱１０は概ね垂直方向に配置しているが、垂直方向に対して角度をなした所定の角度に配置することが可能である。
【００２７】
続いて、ボルト５１にナット５２を螺着することによって、設定した支柱１０の配置方向で、起立壁２２，２２の間で支柱固定部材２３及び支柱１０の下端部１１が固定される。なお、支柱１０の配置方向の調節は、ボルト５１を各部材に貫通し、ナット５２を螺入して仮止めした際でもよく、ボルト５１を貫通する前でもよい。
【００２８】
起立壁２２は、円盤部２８がボルト５１を軸としてスムーズに回動させるため内壁側に誘導部２９を有している。本形態では、誘導部２９は、図６に示すように、起立壁２２の上部両側端部が内側下方に傾斜し、その内壁面に起立壁２２の左右方向中央側に向いた傾斜面２９ａを有している。そして、起立壁２２の内壁側と傾斜面２９ａによって形成された空間に円盤部２８が配置される。
【００２９】
これにより、ボルト５１にナット５２を締結して、支柱１０の下端部１１を固定した後は、支柱１０は、前後方向は起立壁２２によって移動が規制され、下方向は連結部２５上に載置された円盤部２８により、支柱１０の配置方向に寄らず移動が規制され、上方向及び横方向は、傾斜面２９ａにより移動が規制されるので、がたつきが生じにくい。すなわち、円盤部２８の設置位置がずれていても、ボルト５１の締結により、傾斜面２９ａに沿って起立壁２２の中央側に移動するので、しっかりと締結することができる。
【００３０】
傾斜面２９ａは、本形態では平坦に形成されているが、円盤部２８に対して上方向及び左右方向の移動を規制できれば、形状は限定されない。なお、誘導部２９は、起立壁２２を折り曲げて作成するのが容易であるが、その折り曲げの前後方向の幅は、円盤部２８の厚さを超得ないようにすれば、固定壁２６との接触等の干渉が生じないので好ましい。
【００３１】
支柱固定部材２３に支柱１０の下端部１１を強固に固定するために、本形態のごとく、一対の固定壁２６に貫通孔２８ａと異なる位置に別の貫通孔２６ｂを形成し、ボルト５３を一方の貫通孔２６ｂから下端部１１の別の貫通孔１１ｂを貫通し、反対側の各貫通孔（図示せず）を貫通してナット５４を螺着してもよい。
【００３２】
次に、支柱固定装置２０を用いて固定した支柱１０の間にパネル体３０を取付けてフェンスＦを構成する取付方法について図１０を用いて説明する。図１０は本発明に係るフェンスＦのパネル体３０の設置方法の一例を示す説明図である。なお、パネル体３０は、本形態では、縦材３１と横材３２とが格子状に配置された格子状のパネルであるが、これに限定されるものではない。
本形態では、固定壁２６は、上下方向中央部に左右方向全域にわたって切り欠かれた切欠部２６ｃを有しており、切欠部２６ｃは前後方向に通じている。一方、支柱１０の下端部１１は、正面視において、切欠部２６ｃに通じる貫通孔１１ｃを有している。
【００３３】
続いて、パネル体３０を支柱１０の前面側に配置し、パネル体３０の横材３２を切欠部２６ｃ内に配置する。そして、一方に横材３２を係止可能なＪ字状のフック部６１を有し、他方にねじ部６２を有する棒状の固定具６０を前側の切欠部２６ｃから貫通孔１１ｃを経て、後側の切欠部２６ｃに貫通し、ナット６３を螺入して、横材３２の支柱１０の下端部１１側に引き寄せて固定する。これによって、図４に示すように、パネル体３０の横材３２が支柱１０に固定される。なお、横材３２の固定位置は、支柱固定装置２０の上方でもよいが、本形態のように、固定壁２６が切欠部２６ｃを有するようにすることで、パネル体３０の下端部をなるべく設置面Ｓに近づけた状態で固定することができるので、パネル体３０と設置面Ｓとの隙間を狭くすることができる。
【００３４】
以上、本発明の支柱固定装置について、実施形態に基づいて説明したが、本発明は、この実施形態に限定されるものではない。本発明の要旨を逸脱しない範囲内で当業者が思いつく各種変形を施したものも本発明の範囲内に含まれる。
【００３５】
例えば、上記実施形態において、起立壁２２同士は連結部２５を通じて連結されているが、連結部２５を有さず、起立壁２２をベース部２１の上面に接合した形態としてもよい。この場合、円盤部２８は、ベース部２１の上面に載置される形態とするのが好ましい。
【００３６】
また、上記実施形態において、円盤部２８は、支柱１０の配置可能な範囲において、連結部２５上に載置される形態であればよい。なお、前述の様に、連結部２５を有さない場合は、支柱１０の配置可能な範囲において、ベース部２１の上面に載置される形態であればよい。したがって、例えば下部のみが半円盤状であってもよい。
【００３７】
図１１〜図１４は、本発明に係る他の実施形態を示す説明図であって、図１１は本発明に係る他の実施形態を示す斜視図、図１２は図１１のＢ−Ｂ線の拡大断面図、図１３は図１１のＢ−Ｂ線における一部省略端面図、図１４は図１２のＣ矢視図において各貫通孔の位置関係を示す説明図である。本形態に係る支柱固定装置２０は、図１〜１０に示された支柱固定装置２０と比べて、主に起立壁２２と支柱固定部材２３の形態が異なり、それについて説明する。それ以外で、既に説明した内容と同じ構成要素には同じ符号を付し、その説明は省略する。なお、図１３において、各貫通孔の境界は一点破線によって示す。
【００３８】
まず、支柱固定部材２３について説明する。図１１に示すように、支柱固定部材２３の固定壁２６の左右の二個の側壁２７において、一方の側壁２７は、上下方向中間部から前後方向である幅方向に切り欠かれた切り欠き部２７ａを有し、他方の側壁２７は、上下方向中間部から前後方向に突出する突出部２７ｂを有しており、突出部２７ｂが切り欠き部２７ａ内に配置されることによって、側壁２７同士が嵌合される。
【００３９】
これにより、支柱固定装置２０に支柱１０を固定した後、支柱１０に対して、前から後に荷重がかかった場合、支柱１０の前側が相対的に持ち上げられ、又は上下方向に伸ばされる様に作用するため、支柱１０を貫通するボルト５１は前側が持ち上げられる方向に作用し、連動して支柱固定部材２３の前側のみが持ち上げられるように作用するが、起立壁２２はベース部２１に固定されているため、ボルト５１には剪断力が作用し、ボルト５１が変形するおそれがある。そこで、本形態の様に、前後の側壁２７同士を嵌合させることによって、支柱固定部材２３の前側の持ち上げを抑えて、ボルト５１の変形を抑えることができる。
【００４０】
次に、貫通孔２２ａ、２８ａ、２６ａの関係について更に詳しく説明する。起立壁２２の貫通孔２２ａ、円盤部２８の貫通孔２８ａ、固定壁２６の貫通孔２６ａの順で並んでおり、貫通孔２２ａは、貫通孔２８ａより小径であって、正面視において貫通孔２２ａ全体が貫通孔２８ａ内に位置するように配置されている。また、貫通孔２６ａは、貫通孔２８ａよりも小径であって、正面視において貫通孔２６ａ全体が貫通孔２８ａ内に配置されている。
【００４１】
更に貫通孔２２ａは、下縁部２２ｂが、貫通孔２６ａの下縁部２６ｄよりも低い位置にある。一方貫通孔２２ａの上縁部２２ｃは、貫通孔２６ａの上縁部２６ｅと同じ高さか、それよりも低い位置にある。本形態では、貫通孔２２ａ、２６ａはほぼ同径の円形状であって、貫通孔２６ａの中心は貫通孔２２ａの中心よりやや上方に位置している。
【００４２】
貫通孔２２ａ、２８ａ、２６ａの内径は、それぞれボルト５１の外径よりも大きいので、ボルト５１の貫通は可能であるが、上述の構造によって、貫通方向に対する見かけ上、ボルト５１の貫通可能な上下方向の寸法Ｌが狭くなっている。
【００４３】
本形態では、寸法Ｌがボルト５１の外径以上なので、ボルト５１は、各貫通孔の貫通方向に沿って貫通することができるが、貫通孔２２ａ、２６ａの一方のみに比べると貫通しにくくなる。ここで、大径の貫通孔２８ａによって貫通孔２２ａ、２６ａが貫通方向に離間しているので、ボルト５１のねじ先端部側をやや持ち上げて僅かに斜めにすることによって、ボルト５１は、貫通孔２２ａ、２６ａを貫通しやすくなる。
【００４４】
また、貫通孔２２ａは、貫通方向の途中から支柱１０の下端部１１側に向けて徐々に拡径されたテーパー部２２ｄを有している。これにより、ボルト５１を貫通させにくい距離が短くなる。
【００４５】
更に、貫通孔２６ａは、貫通方向の途中から支柱１０の下端部１１側に向けて徐々に拡径されたテーパー部２６ｆを有している。これにより、ボルト５１を貫通させにくい距離が短くなる。加えて、ボルト５１のねじ先端部側をやや持ち上げて僅かに斜めにすることが容易となるので、貫通孔２６ａを通過させやすくなる。
【００４６】
なお、各部材の僅かな加工誤差や、各部材の表面処理や表面塗装により、寸法Ｌがボルト５１の外径より小さくなる可能性もあるが、上述の通り、ボルト５１を僅かに斜めにするとともに、貫通方向に圧入することによって、貫通孔２２ａ、２８ａ、２６ａを通過させることができる。
【００４７】
次に、ボルト５１のねじ先端部が貫通孔２６ａを通過し、支柱１０の下端部１１ａの貫通孔１１ａを通過し、ボルト５１のねじ先端側がやや持ち上がった斜め向きに配置されて反対側の貫通孔２６ａ付近に達した場合、ねじ先端部の一部がテーパー部２６ｆに接する場合があるが、ボルト５１を貫通方向に圧入すれば、ねじ先端部はテーパー部２６ｆの傾斜面に沿って貫通孔２６ａの奥に誘導されて通過することができる。
【００４８】
ボルト５１が更に進んで、反対側の貫通孔２２ａ付近を通過する場合も、ねじ先端部は貫通孔２２ａのテーパー部２２ｄの傾斜面に誘導されて貫通孔２２ａを通過することができる。
【００４９】
ボルト５１は、貫通孔２２ａ、２２ａ間を貫通した状態において、相対的に低い位置にある貫通孔２２ａの上部に偏って通過しており、相対的に高い位置ある貫通孔２６ａの下部に偏って通過している。
【００５０】
これにより、ボルト５１は、相対的に低い位置にある貫通孔２２ａの上部に偏って通過しているので、上方向の移動が抑えられる。また、支柱固定部材２３の上方向の移動は、貫通孔２６ａの下部に偏って通過するボルト５１によって抑えられる。すなわち、ボルト５１にナット５２を螺着して締結した後は、貫通孔２６ａを有する支柱固定部材２３の上方向への移動が抑えられるので、支柱固定部材２３の上下方向のがたつきを抑えることができる。
【産業上の利用可能性】
【００５１】
本発明は、立体駐車場や、既設のフェンスや柵等を取り除いてコンクリートやブロックの土台に再びフェンスを設置する場合に、パネル体が取付られる支柱を固定する支柱固定装置として有用であり、特に傾斜箇所が多い立体駐車場や土台部等にフェンスと設置する場合において広く利用することができる。
【符号の説明】
【００５２】
１０    支柱
１１ａ  キャップ
１１  下端部
１１ａ、１１ｂ、１１ｃ  貫通孔
２０  支柱固定装置
２１  ベース部
２１ａ、２１ｂ  貫通孔
２２  起立壁
２２ａ  貫通孔
２２ｂ  下縁部
２２ｃ  上縁部
２２ｄ  テーパー部
２３  支柱固定部材
２４  アンカー孔
２５  連結部
２６  固定壁
２６ａ  貫通孔
２６ｂ  貫通孔
２６ｃ  切欠部
２６ｄ  下縁部
２６ｅ  上縁部
２６ｆ  テーパー部
２７  側壁
２８  円盤部
２８ａ  貫通孔
２９  誘導部
２９ａ  傾斜面
３０  パネル体
３１  縦材
３２  横材
４０  アンカーボルト
４１  スリーブ
４２  ワッシャ
４３  スプリングワッシャ
５１、５３  ボルト
５２、５４  ナット
６０  固定具
６１  フック部
６２  ねじ部
Ｆ    フェンス
Ｋ    内部空間
Ｌ    寸法
Ｓ    設置面
【図１】
2018204424.tif 000003
【図２】
2018204424.tif 000004
【図３】
2018204424.tif 000005
【図４】
2018204424.tif 000006
【図５】
2018204424.tif 000007
【図６】
2018204424.tif 000008
【図７】
2018204424.tif 000009
【図８】
2018204424.tif 000010
【図９】
2018204424.tif 000011
【図１０】
2018204424.tif 000012
【図１１】
2018204424.tif 000013
【図１２】
2018204424.tif 000014
【図１３】
2018204424.tif 000015
【図１４】
2018204424.tif 000016